(57)【要約】      （修正有）【課題】簡易な構成で箱体内に保護シートを着脱可能に固定することができる段ボール箱を提供する。【解決手段】箱体２０内に保護シート３０を内装し、上部開口の対向する２つの蓋体２２，２２に打ち抜きによる係止舌片２５，２５を形成して、保護シート３０の上端部３１を蓋体２２，２２の外側へ折り曲げて係止舌片２５，２５に挟み込み固定する。また、係止舌片２５が形成される蓋体２２，２２が上部開口の折り曲げ内側となり、係止舌片２５が係止顎部２６を有する概略Ｔ字形状に形成される。保護シート３０をプラスチック袋としてもよい。【選択図】図１
0003159936.tif 000002
【実用新案登録請求の範囲】
【請求項１】
箱体内に保護シートを内装した段ボール箱であって、上部開口の対向する２つの蓋体に打ち抜きによる係止舌片を形成して、前記保護シートの上端部を前記蓋体の外側へ折り曲げて前記係止舌片に挟み込み固定するようにしたことを特徴とする段ボール箱。
【請求項２】
前記保護シートがプラスチック袋である請求項１に記載の段ボール箱。
【請求項３】
前記係止舌片が形成される蓋体が上部開口の折り曲げ内側となる蓋体である請求項１又は２に記載の段ボール箱。
【請求項４】
前記係止舌片が係止顎部を有する概略Ｔ字形状に形成されている請求項１ないし３項のいずれか１項に記載の段ボール箱。
【請求項５】
前記箱体が水分を含む物品を包装するものである請求項１ないし４項のいずれか１項に記載の段ボール箱。
【請求項６】
前記箱体の包装物品が漬け物である請求項５に記載の段ボール箱。
【考案の詳細な説明】
【技術分野】
【０００１】
本考案は、箱体内に保護シートを内装した段ボール箱に関する。
【背景技術】
【０００２】
従来、段ボール箱は、軽量でありながら優れた強度を備え、しかも安価で利便性にも優れていることから、様々な物品の包装材として広く使用されている。この段ボール箱にあっては、包装物品の保護あるいは水分等が箱体外部に漏れ出すことを防止するために、箱体内に保護シートを内装したものが知られている。
【０００３】
しかしながら、上記保護シートを内装したダンボール箱では、箱体内に内装される保護シートをセロハンテープやガムテープ等の粘着テープあるいは接着剤等によって貼り付けて固定するため、保護シートの取り付けや取り外しに繁雑な作業が必要となって利便性が低下するとともに、保護シートを取り外した際には破損する等の問題があった。
【考案の概要】
【考案が解決しようとする課題】
【０００４】
本考案は前記の点に鑑みなされたものであり、簡易な構成で箱体内に保護シートを着脱可能に固定することができる段ボール箱を提供するものである。
【課題を解決するための手段】
【０００５】
すなわち、請求項１の考案は、箱体内に保護シートを内装した段ボール箱であって、上部開口の対向する２つの蓋体に打ち抜きによる係止舌片を形成して、前記保護シートの上端部を前記蓋体の外側へ折り曲げて前記係止舌片に挟み込み固定するようにしたことを特徴とする段ボール箱に係る。
【０００６】
請求項２の考案は、前記保護シートがプラスチック袋である請求項１に記載の段ボール箱に係る。
【０００７】
請求項３の考案は、前記係止舌片が形成される蓋体が上部開口の折り曲げ内側となる蓋体である請求項１又は２に記載の段ボール箱に係る。
【０００８】
請求項４の考案は、前記係止舌片が係止顎部を有する概略Ｔ字形状に形成されている請求項１ないし３項のいずれか１項に記載の段ボール箱に係る。
【０００９】
請求項５の考案は、前記箱体が水分を含む物品を包装するものである請求項１ないし４項のいずれか１項に記載の段ボール箱に係る。
【００１０】
請求項６の考案は、前記箱体の包装物品が漬け物である請求項５に記載の段ボール箱に係る。
【考案の効果】
【００１１】
請求項１の考案に係る段ボール箱は、箱体内に保護シートを内装した段ボール箱であって、上部開口の対向する２つの蓋体に打ち抜きによる係止舌片を形成して、前記保護シートの上端部を前記蓋体の外側へ折り曲げて前記係止舌片に挟み込み固定するようにしたため、極めて簡易な構成で箱体内に保護シートを着脱可能に固定することができる。
【００１２】
請求項２の考案は、請求項１において、前記保護シートがプラスチック袋であるため、安価で入手しやすく保護効果にも優れる。
【００１３】
請求項３の考案は、請求項１又は２において、前記係止舌片が形成される蓋体が上部開口の折り曲げ内側となる蓋体であるため、保護シートが外部に露出することを防止することができる。
【００１４】
請求項４の考案は、請求項１ないし３において、前記係止舌片が係止顎部を有する概略Ｔ字形状に形成されているため、保護シートを簡易かつ確実に固定することができる。
【００１５】
請求項５の考案は、請求項１ないし４において、前記箱体が水分を含む物品を包装するものであるため、簡単かつ効果的に包装することができる。
【００１６】
請求項６の考案は、請求項５において、前記箱体の包装物品が漬け物であるため、簡単かつ効果的に包装することができる。
【図面の簡単な説明】
【００１７】
【図１】本考案の一実施例に係る段ボール箱の斜視図である。
【図２】箱体の斜視図である。
【図３】係止舌片による保護シートの固定手順を表した部分斜視図である。
【図４】蓋体の一部を折り曲げた状態の段ボール箱の斜視図である。
【図５】係止舌片の他の例を表す概略図である。
【考案を実施するための形態】
【００１８】
図１に示す本考案の一実施例に係る段ボール箱１０は、箱体２０内に保護シート３０を内装したものである。箱体２０は、図２に示すように、公知の板状の段ボールを組み立ててなり、上部開口２１に蓋体２２，２２，２３，２３を有する。
【００１９】
この箱体２０では、上部開口２１の対向する２つの蓋体２２，２２に打ち抜きによる係止舌片２５，２５を形成して、保護シート３０の上端部３１を蓋体２２，２２の外側へ折り曲げて係止舌片２５，２５に挟み込み固定するように構成される。
【００２０】
係止舌片２５は、図１〜図３に示すように、係止顎部２６を有する概略Ｔ字形状に形成されている。図２，３において、符号２７は縦方向を長辺とする概略長方形状に形成された係止舌片の下部、２８は横方向を長辺とする概略長方形状に形成された係止舌片の上部、２９は蓋体２２に形成された係止舌片２５の打ち抜き開口部である。
【００２１】
係止舌片２５により保護シート３０を固定する場合は、まず、図３（ａ）に示すように、係止舌片２５を蓋体２２の外側に折り曲げられる。次いで、図３（ｂ）に示すように、保護シート３０の上端部３１を打ち抜き開口部２９にかかるように蓋体２２，２２の外側へ折り曲げた後、図３（ｃ）に示すように、係止舌片２５を保護シート３０の上端部３１とともに抜き開口部２９に嵌合させる。これにより、保護シート３０が係止舌片２５に挟み込み固定される。特に、係止舌片２５が係止顎部２６を有することにより、挟み込まれた保護シート３０が係止舌片２５に引っかかりやすくなるため、確実に固定することができる。
【００２２】
また、この箱体２０では、図４に示すように、係止舌片２５，２５が形成される蓋体２２，２２が上部開口２１の折り曲げ内側となるようすることが好ましい。これにより、蓋体２２，２２，２３，２３を閉じて包装した際に保護シートが外部に露出することを防止することができる。
【００２３】
保護シート３０は、箱体２０に包装される物品を収容し、箱体２０外への漏出等を防止して保護するためのものである。この保護シート３０としては、プラスチック袋であることが好ましく、安価で入手しやすいとともに水分等の漏出を効果的に防止することができる等の保護効果にも優れる。
【００２４】
以上図示し説明したように、本考案の段ボール箱は、上部開口２１の対向する２つの蓋体２２，２２に打ち抜きによる係止舌片２５，２５を形成して、保護シート３０の上端部３１を蓋体２２，２２の外側へ折り曲げて係止舌片２５，２５に挟み込み固定するように構成したものであるため、保護シート３０を固定する際に粘着テープや接着剤等が不要となって、極めて簡易な構成で箱体内に保護シートを着脱可能に固定することができる。特に、係止舌片２５が係止顎部２６を有する概略Ｔ字形状に形成されていることにより、保護シートを簡易かつ確実に固定することができる。
【００２５】
また、この段ボール箱１０は、内装された保護シート３０が確実に固定されているため、水分を含む物品の包装に適しており、特に、包装物品として漬け物を包装することが最適であり、簡単かつ効果的に包装することができる。
【００２６】
なお、本考案の段ボール箱は、前述の実施例のみに限定されるものではなく、考案の趣旨を逸脱しない範囲において構成の一部を適宜に変更して実施することができる。例えば、係止舌片は、図１〜図３に図示の実施例の形状のみに限定されるものではなく、図５に示すような様々なバリエーションの形状とすることができる。図５（ａ）の係止舌片２５Ａは概略半球形状の上部２８Ａが形成された例、図５（ｂ）の係止舌片２５Ｂは概略三角形状の上部２８Ｂが形成された例、図５（ｃ）の係止舌片２５Ｃは概略台形形状の下部２７Ｃ及び概略長方形状の上部２８Ｃが形成された例、図５（ｄ）は概略楕円形状の上部２８Ｄが形成された例である。いずれの形状２５Ａ〜２５Ｄであっても、実施例の係止舌片２５と同様に保護シートを簡易かつ確実に固定することができる。
【符号の説明】
【００２７】
１０    段ボール箱
２０    箱体
２１    上部開口
２２，２３  蓋体
２５    係止舌片
３０    保護シート
【図１】
0003159936.tif 000003
【図２】
0003159936.tif 000004
【図３】
0003159936.tif 000005
【図４】
0003159936.tif 000006
【図５】
0003159936.tif 000007